(57)【要約】      （修正有）【課題】キャビネット内部の収納部をを排水管で邪魔されない大きな収納空間とする。【解決手段】キャビネット２の上面に洗面ボウル３を配設すると共に洗面ボウル３の下方のキャビネット２の内部空間を収納部４としてなる洗面台１の配設構造である。洗面ボウル３の奥側壁５と底壁６とのコーナ部に洗面ボウル３の排水口７を形成する。排水口７から排水トラップ８を有した排水管９を奥方に向けて延設する。洗面台１が沿うキャビネット２奥方の建物の壁１０内に上記排水トラップ８を有した排水管９を導入して配設する。【選択図】図１
2007032076.tif 000002
【特許請求の範囲】
【請求項１】
キャビネットの上面に洗面ボウルを配設すると共に洗面ボウルの下方のキャビネットの内部空間を収納部としてなる洗面台の配設構造において、洗面ボウルの奥側壁と底壁とのコーナ部に洗面ボウルの排水口を形成すると共に、この排水口からトラップ部を有した排水管を奥方に向けて延設し、洗面台が沿うキャビネット奥方の建物の壁内に上記トラップ部を有した排水管を導入して配設したことを特徴とする洗面台の配設構造
。
【発明の詳細な説明】
【技術分野】
【０００１】
本発明は、洗面台の配設構造に関するものである。
【背景技術】
【０００２】
従来から、洗面台１では、たとえば特許文献１にあるように、キャビネット２の上面に配設した洗面ボウル３の下方のキャビネット２の内部空間を収納部４とすることが一般に行われているが、図５のように洗面ボウル３の排水口７から排水トラップ８を有する排水管９が収納部４内に位置するように垂設されるのであって（たとえば図５（ａ）では排水管９は洗面ボウル３の排水口７から下方に垂下されて収納部４内に配設された排水トラップ８に至ると共に排水トラップ８から再び下方に垂下されて建物の床下に導入されており、また図５（ｂ）では排水管９は洗面ボウル３の排水口７から下方に垂下されて収納部４内に配設された排水トラップ８に至ると共に排水トラップ８から奥方に延設されて建物の壁１０内に導入されている）、すなわち、上記収納部４には上記排水トラップ８を有する排水管９が位置されることから、この排水トラップ８を有する排水管９に邪魔されて大きな収納部４を得ることができないものであった。
【特許文献１】特開平１０−８５４１３号公報
【発明の開示】
【発明が解決しようとする課題】
【０００３】
本発明は上記の従来の問題点に鑑みて為したものであって、洗面ボウルの下方の収納部を大きく使用可能にできる洗面台の配設構造を提供することを課題とするものである。
【課題を解決するための手段】
【０００４】
上記課題を解決するために本発明の洗面台の配設構造にあっては、キャビネット２の上面に洗面ボウル３を配設すると共に洗面ボウル３の下方のキャビネット２の内部空間を収納部４としてなる洗面台１の配設構造において、洗面ボウル３の奥側壁５と底壁６とのコーナ部に洗面ボウル３の排水口７を形成すると共に、この排水口７から排水トラップ８を有した排水管９を奥方に向けて延設し、洗面台１が沿うキャビネット２奥方の建物の壁１０内に上記排水トラップ８を有した排水管９を導入して配設したことを特徴とする。これによると、洗面ボウル３の奥側壁５と底壁６とのコーナ部に形成した洗面ボウル３の排水口７から奥方に向けて延設した排水トラップ８を有した排水管９は、該排水口７から延設した直後に、キャビネット２奥方の建物の壁１０内に導入されて壁１０内部に配置されることから、洗面ボウル３の下方のキャビネット２の内部空間である収納部４には、上記排水トラップ８を有した排水管９が位置することが無くなり、排水トラップ８を有した排水管９に邪魔されることなく、大きく収納部４を収納空間として使用することができる。
【発明の効果】
【０００５】
本発明は、トラップ部を有した排水管に邪魔されることなく、洗面ボウルの下方の収納部を大きく収納空間として使用できるといった利点を有する。
【発明を実施するための最良の形態】
【０００６】
以下、本発明を添付図面に示す実施形態に基いて説明する。
【０００７】
本例の洗面台１は、図１のように、キャビネット２の上面に洗面ボウル３が配設され、洗面ボウル３の下方のキャビネット２の内部空間が収納物を収納可能にした収納部４とされている。洗面ボウル３は、上方開口を有しており、左右側端ほど徐々に高くなると共に前方に徐々に高くなるように下方に凸の凸面形状を有した底壁６と、この底壁６の奥側端部から略垂直上方に立ち上げた奥側壁５とで構成されている。左右方向の中央部における底壁６と奥側壁５とのコーナ部分が洗面ボウル３内の最低位置となっており、この部位に洗面ボウル３内に流した水を排水する排水口７が設けられている。
【０００８】
上記排水口７からは建物の床下に配設された主排水管２２に至る排水管９が延設されている。詳しくは、この排水管９は排水口７から奥方斜め下方に向けて延設されており、排水管９を上下に屈曲させて内部に虫や小動物や臭気の通過を防ぐ溜水を形成させる排水トラップ８を介して、主排水管２２に至るようにされている。なお便宜上、排水管９のうち、排水口７から排水トラップ８に至る部位を導入部９ａと称し、それ以外の部位（排水トラップ８を含む主排水管２２に至る部位）を主体部９ｂと称する。
【０００９】
ところで、洗面台１は、洗面所等の床２１に載置すると共に洗面所等の壁１０にその裏面を沿わせて立設させるようにして配設される。すなわち、キャビネット２のすぐ奥方には垂直な建物の壁１０が位置している。ここで、本例の壁１０は部屋を仕切る間仕切り壁であって、柱材１０ｃの両側に内装パネルを構成する面板１０ａ，１０ｂを間隔を隔てて対面させるように取付けて形成されている。収納部４の裏方位置の部位の壁１０においては、壁１０内に排水トラップ８を有する排水管９を配設させるための配管用空所１１が形成されており、この配管用空所１１は壁１０の洗面台側の面板１０ａに穿設した配管用孔１２を介して前方（収納部４）に開口している。具体的に配管用空所１１は壁１０の両面板１０ａ，１０ｂの間の空間がこれを構成している。
【００１０】
上述の排水トラップ８を有した排水管９は、洗面ボウル３の排水口７から奥方に延設した直後に上記配管用空所１１に位置されて主排水管２２に連結されている。詳しくは、排水管９は、導入部９ａが配管用空所１１の上端部分から配管用空所１１内に導入されるのであって、主体部９ｂ（排水トラップ８を含む主排水管２２に至る部位）の全てが配管用空所１１内に上下に亙って挿通するように位置されているのである。なお、配管用孔１２には目隠し蓋材１３が被着可能にされ、図２のように、配管用空所１１内に配置した排水管９の目隠しを可能にしている。詳しくは、図３のように、目隠し蓋材１３はその外形形状が配管用孔１２の内形形状と同様の大きさに形成されており、目隠し蓋材１３の左右方向の中央における上端部には排水管９の導入部９ａを挿通させる切欠孔状の導入孔１４が穿設されている。また、配管用孔１２の左右方向の側縁部には面板１０ａの裏面側に裏当て板材１５が上下に亙ってビス等の固定具１６にて取付けられており、目隠し蓋材１３をこの裏当て板材１５に前方から当接させてビス等の固定具１７で固定することで、目隠し蓋材１３は配管用孔１２を塞ぐと共に壁１０の面板１０ａと面一状態になるように被着される。
【００１１】
このように本例の洗面台１の配設構造においては、排水管９は、洗面ボウル３の後端の排水口７から延設した直後の導入部９ａが洗面台１の奥の建物の壁１０内に入り込み、排水トラップ８を含む主排水管２２に至る部位が洗面台１の奥の建物の壁１０内に収納されているので、洗面ボウル３の下方のキャビネット２の内部空間である収納部４には上記排水トラップ８を有した排水管９が位置することが無くなり、従来のように排水トラップ８を有した排水管９に邪魔されることなくて、大きく収納部４を収納空間として使用することができるようにされている。特に、上下に屈曲して上下寸法を必要とする排水トラップ８を壁１０内に収納して収納部４に位置させないようにしたことで、収納部４における洗面ボウル３の直ぐ下方域である収納部４の上部域（図１中Ａ部分）を広く収納空間として利用できたことに大きな利点がある。また、収納部４に排水トラップ８を有した排水管９が位置しないことから、収納部４にすっきりとした良好な景観を確保することもできる。無論、この収納部４にはその前部に前面扉を開閉自在に設けてもよく、また、キャビネット２に裏板があって収納部４の奥方への開口を塞ぐ場合にあっても排水孔９の導入部９ａを挿通可能で上記裏板に配管用孔１２に連通させる孔を設ければよいのは言うまでもない。また、収納部４に収納する収納物としては使用者が洗面台１を使用する際に座るための椅子や、使用者が身障者である場合には車椅子であってもよいのは言うまでもない。更に言うと、壁１０としては面板１０ｂが外装パネルで構成される外壁であってもよいのは言うまでもない。そして、この場合、面板１０ａ，１０ｂ間の空間には断熱材が充填配置されるのであるが、上記空間における収納部４の奥方の部位の断熱材を除けば配管用空所１１を形成できるのは言うまでもない。
【００１２】
更に言うと、本例の排水トラップ８は左右方向の平行面内（壁１０の壁面方向と同方向）で排水管９を上下に屈曲させて形成されており、前後方向に厚みを生じさせないようにされている。しかして、排水トラップ８及び排水管９を収納する配管用空所１１に必要な奥行き寸法を可及的に薄くすることが可能にされている。また、本例の排水トラップ８を含む排水管９は、従来部材を可及的に使用して形成されている。具体的に、排水管９は、洗面ボウル３の排水口７から垂設されて排水管９の導入部９ａを構成する導入部排水管１８、導入部排水管１８に一端を連結させてＵ字状に形成された排水トラップ管１９、排水トラップ管１９の他端に一端を連結させて他端を主排水管２２に至らしめる逆Ｊ字状の主体排水管２０とで形成されている。排水管９の主体部９ｂを構成する排水トラップ管１９及び主体排水管２０は図５（ａ）の従来例の排水管９の構成部品と同様の物を使用しており、つまり、図５（ａ）の従来例とは図４の導入部排水管１８のみを違えるものである。このように従来部材を可及的に使用可能にしたから、コストの低廉化も図られているのである。
【図面の簡単な説明】
【００１３】
【図１】本発明の実施の形態の例の洗面台の配設構造であり、（ａ）は側断面図であり、（ｂ）は上面断面図であり（ｃ）は正面断面図である。
【図２】同上の排水管の配設箇所の収納部から見た斜視図である。
【図３】（ａ）は目隠し蓋材の斜視図であり、（ｂ）は建物の壁の配管用空所の配管用孔に目隠し蓋材を被着させた状態の水平断面図である。
【図４】同上の導入部排水管であり、（ａ）は正面図であり、（ｂ）は上面図であり、（ｃ）は側面図である。
【図５】従来技術の例であり、（ａ）は排水管を床下に配設した主排水管に接続する例の側断面図であり、（ｂ）は排水管を壁内に導入させた例の側断面図である。
【符号の説明】
【００１４】
１  洗面台
２  キャビネット
３  洗面ボウル
４  収納部
５  奥側壁
６  底壁
７  排水口
８  排水トラップ
９  排水管
１０  壁
１１  配管用空所
１３  目隠し蓋材
【図１】
2007032076.tif 000003
【図２】
2007032076.tif 000004
【図３】
2007032076.tif 000005
【図４】
2007032076.tif 000006
【図５】
2007032076.tif 000007